(57)【要約】      （修正有）【課題】ロータリ耕耘機の上昇時にもトラクタへの接触干渉が起こらない状態で当該ロータリ耕耘機に対してスタンド具を保持できるようにし、もってスタンド具の置き忘れなどを防止できるようにする。【解決手段】ロータリ耕耘機の機枠４に、長手方向を左右方向へ向けたツールバーを後端に有する支持枠１４が後方突出状に備えられ、機枠４の左右少なくとも一方側に、接地部５０が前後方向に長いスタンド具７を着脱自在に取り付ける取付部８が設けられており、ツールバーに左右一対の保持部９が設けられ、左右各スタンド具７にその長手方向をツールバーに略沿わせた状態で保持部９に着脱自在に保持される被保持部５３が設けられている。【選択図】図１
2011125243.tif 000002
【特許請求の範囲】
【請求項１】
ロータリ耕耘機（１）の機枠（４）に、長手方向を左右方向へ向けたツールバー（３７）を後端に有する支持枠（１４）が後方突出状に備えられ、前記機枠（４）の左右少なくとも一方側に、接地部（５０）が前後方向に長いスタンド具（７）を着脱自在に取り付ける取付部（８）が設けられており、
前記ツールバー（３７）に保持部（９）が形成され、
前記スタンド具（７）にその長手方向をツールバー（３７）に略沿わせた状態で前記保持部（９）に着脱自在に保持される被保持部（５３）が設けられていることを特徴とするロータリ耕耘機のスタンド装置。
【請求項２】
前記ツールバー（３７）の保持部（９）はツールバー（３７）の左右の端部自体で形成され、
前記スタンド具（７）の被保持部（５３）は、ツールバー（３７）の上側にスタンド具（７）の長手方向を略沿わせた状態で前記保持部（９）に外嵌する嵌合筒で形成され、且つ該被保持部（５３）は、スタンド具（７）を前記取付部（８）に取り付けたときに該スタンド具（７）における機枠（４）の左右方向中央側へ向く面に配置されていることを特徴とする請求項１に記載のロータリ耕耘機のスタンド装置。
【請求項３】
前記スタンド具（７）は前後接地体（５０）を有する長手部（５１）とこの長手部（５１）の端部から立ち上がった立上部（５２）とが備えられ、前記長手部（５１）の端部に前記被保持部（５３）が設けられ、前記立上部（５２）の上部に前記取付部（８）に取り付けられる被取付部（５４）が設けられていることを特徴とする請求項１又は２に記載のロータリ耕耘機のスタンド装置。
【発明の詳細な説明】
【技術分野】
【０００１】
本発明は、ロータリ耕耘機のスタンド装置に関するものである。
【背景技術】
【０００２】
ロータリ耕耘機は、トラクタの後部に三点リンク機構を介して昇降自在に取り付けられる機枠と、この機枠の下部に左右方向の軸心回りに回転自在に支持された爪軸に複数の耕耘爪を取り付けてなるロータリ耕耘部と、このロータリ耕耘部を覆うロータリカバーとを備えている。
このロータリ耕耘機をトラクタとは別に単体で保管したり、倉庫と圃場との間で移動したりする際の便宜を図るため、従来、ロータリ耕耘機の機枠に対し、その左右両側に前後方向に長いスタンド具を着脱自在に取り付けることが提案されている（例えば、特許文献１など参照）。このスタンド具は、立上り杆部と、この立上り杆部の下端部から後方へ延びる水平杆部とを有して側面視Ｌ型に形成されていた。
【先行技術文献】
【特許文献】
【０００３】
【特許文献１】特開平１０−９８９０４号公報
【発明の概要】
【発明が解決しようとする課題】
【０００４】
スタンド具は、耕耘作業時にはロータリ耕耘機から取り外しておく必要があるが、取り外したスタンド具を圃場の周辺などへ置いたのでは、作業の中断時や終了時に置き忘れてしまうおそれがある。そのため前記従来のスタンド具（特許文献１）では、ロータリ耕耘機から外した後、スタンド具を、立上り杆部の上端部が下向きになるように上下逆向きにさせ、その状態でロータリ耕耘機の機枠上へ突き刺しておく（係合させておく）といった対応策が講じられていた。
【０００５】
しかし、ロータリ耕耘機上ではスタンド具が上方へ突出する状態になるので、トラクタを旋回させるような場合等にロータリ耕耘機を上昇させると、スタンド具がトラクタと干渉する惧れがある。
このため、機枠に後方突出状に備えられた支持枠後端側のツールバーにスタンド具を取り付けることが考えられる。しかしながら、ロータリ耕耘機にあっては、ツールバーに施肥機等のインプルメントを取り付けて、耕耘作業とインプルメントでの作業との同時作業を行うことがあるが、スタンド具がツールバーから突出するようにして取り付けられると、該スタンド具がインプルメント取付の邪魔物となって、インプルメントのツールバーへの取付が困難となる惧れがある。
【０００６】
本発明は、上記事情に鑑みてなされたものであって、ロータリ耕耘機の上昇時にもトラクタへの接触干渉が起こらない状態で当該ロータリ耕耘機に対してスタンド具を保持できるようにし、もってスタンド具の置き忘れなどを防止できるようにし、また、スタンド具がインプルメントの取り付けの邪魔物となる惧れの少ないロータリ耕耘機のスタンド装置を提供することを目的とする。
【課題を解決するための手段】
【０００７】
前記目的を達成するために、本発明は次の手段を講じた。
即ち、本発明に係るロータリ耕耘機１のスタンド装置２は、ロータリ耕耘機１の機枠４に、長手方向を左右方向へ向けたツールバー３７を後端に有する支持枠１４が後方突出状に備えられ、前記機枠４の左右の少なくとも一方側に、接地部５０が前後方向に長いスタンド具７を着脱自在に取り付ける取付部８が設けられており、前記ツールバー３７に左右一対の保持部９が設けられ、前記左右各スタンド具７にその長手方向をツールバー３７に略沿わせた状態で前記保持部９に着脱自在に保持される被保持部５３が設けられていることを特徴としている。
【０００８】
これによれば、スタンド具７に設けられた被保持部５３をツールバー３７に形成された保持部９へ装着させることにより、スタンド具７は、その長手方向（機枠４の左右の少なくとも一方側へ取り付けたときに前後方向に沿う方向）がツールバー３７に沿う状態（左右方向に沿う状態）に保持されるものとなる。すなわち、スタンド具７は、ツールバー３７への保持状態としたとき、上下方向や前後方向で大きく突出するものではなく、コンパクトに収まる。
【０００９】
そのため、ロータリ耕耘機１の上昇時にもトラクタへの接触干渉が起こらない状態で当該ロータリ耕耘機１に対してスタンド具７を保持できるようになる。また、ツールバー３７にインプルメントを取り付ける場合にも、スタンド具７が邪魔物となる惧れが少なく、インプルメントをツールバー３７に取り付けやすくすることができる。
このように、取り外したスタンド具７をロータリ耕耘機１に対して保持できることになるので、スタンド具７の置き忘れなどを防止できるものとなる。
【００１０】
また、ロータリ耕耘機１に保持させたスタンド具７が、上方への突出を抑えられている点は、トラクタ側からの後方確認時にスタンド具７が邪魔とならない（後方確認がし易い）という利点にも繋がっている。
前記ツールバー３７の保持部９はツールバー３７の左右の端部自体で形成され、前記スタンド具７の被保持部５３は、ツールバー３７の上側にスタンド具７の長手方向を略沿わせた状態で前記保持部９に外嵌する嵌合筒で形成され、且つ該被保持部５３は、スタンド具７を前記取付部８に取り付けたときにスタンド具７における機枠４の左右方向中央側へ向く面に配置されているものとするのが好ましい。
【００１１】
これによれば、ツールバー３７に設けられる保持部９が、ツールバー３７自体であることから、構造の簡潔化が図れると共に、既存のロータリ耕耘機１においてツールバー３７に特段の改造などを施さなくとも、本発明を実施可能であるという利点に繋がる。
また、スタンド具７の使用状態において、被保持部５３がスタンド具７から左右外側方に出っ張っていないことから、被保持部５３が突起物とならず、該被保持部５３が何かのものに接触する惧れがない。
【００１２】
前記スタンド具７は前後接地体５０を有する長手部５１とこの長手部５１の端部部から立ち上がった立上部５２とが備えられ、前記長手部５１の端部に前記被保持部５３が設けられ、前記立上部５２の上部に前記取付部８に取り付けられる被取付部５４が設けられているものとするのが好ましい。
これによれば、スタンド具７における長手部５１の前部に設けられた被保持部５３をツールバー３７の保持部９へ装着させたとき、スタンド具７の立上部５２は前方へ向けて突出する向きとなると共に、この立上部５２の前側に被取付部５４が位置する状態となり、ツールバー３７から上方へ突出することはない（スタンド具７全体として一層コンパクトに収まる）という利点がある。
【発明の効果】
【００１３】
本発明に係るロータリ耕耘機のスタンド装置は、ロータリ耕耘機の上昇時にトラクタとの干渉が起こらない状態で当該ロータリ耕耘機に対してスタンド具をコンパクトに保持することができ、また、スタンド具がツールバーから大きく突出しないので、ツールバーにインプルメントを取り付ける場合に、スタンド具がインプルメント取付の邪魔物となる惧れが少ない。
【図面の簡単な説明】
【００１４】
【図１】本発明の一実施形態についてスタンド具をツールバーに保持させた状態にして示した側面図である。
【図２】本発明の一実施形態についてスタンド具を使用状態にして示した側面図である。
【図３】図１のＡ−Ａ線矢視図である。
【図４】図１のＢ−Ｂ線矢視図である。
【図５】図２のＣ−Ｃ線矢視図である。
【図６】図５のＤ部拡大図である。
【発明を実施するための形態】
【００１５】
以下、本発明の実施の形態を、図面に基づき説明する。
図１乃至図６は、本発明に係るロータリ耕耘機１のスタンド装置２についてその一実施形態を示している。ロータリ耕耘機１は、三点リンク機構等を介してトラクタ（図示略）に昇降自在に装着される機枠４と、この機枠４の下部に設けられたロータリ耕耘部５と、このロータリ耕耘部５を覆うロータリカバー６とを備えている。
【００１６】
スタンド装置２は、このようなロータリ耕耘機１に対して着脱自在とされる左右一対のスタンド具７と、ロータリ耕耘機１における機枠４の左右両側で左右の各スタンド具７を取り付けるための左右の取付部８と、機枠４の後方側で左右の各スタンド具７を仮保持させるための左右の保持部９とを具備している。
すなわち、スタンド具７は、ロータリ耕耘機１を単体で保管するような場合等には、取付部８に対してロータリ耕耘機１の機体荷重を支える状態に取り付ける（図２参照）が、圃場などでのロータリ耕耘機１を使用した耕耘作業中には、作業には全く邪魔とならない状態として保持部９に仮保持させる（図１参照）ことができるようになっている。
【００１７】
まずロータリ耕耘機１についてその具体構造を詳述する。図５に示すように、機枠４は、左右方向中央のギヤケース１０からサポートアーム１１を左右に突設し、左側のサポートアーム１１の端部に伝動ケース１２の上端側を連結すると共に右側のサポートアーム１１の端部にサイドフレーム１３の上部側を連結して背面視門型状に形成されている。またこの機枠４には、図１及び図２に示すように、後方突出状に支持枠１４が備えられている。
【００１８】
ギヤケース１０の上部には、前後二股状に形成されたトップマスト１５が固定され、このトップマスト１５の前部の上部側には、三点リンク機構のトップリンクの後端側が連結される（又は三点リンク機構の後端側にヒッチフレームが設けられる場合は、該ヒッチフレーム上部のフック部分に係合する）トップリンクピン１６が設けられている。
また、ギヤケース１０と左右の各サポートアーム１１との各間には、それぞれ連結ブラケット１７が固定され、これら連結ブラケット１７の前部には、三点リンク機構の左右のロワーリンクの後端側が連結される（又は三点リンク機構の後端側にヒッチフレームが設けられる場合は、該ヒッチフレーム下部の左右両側の連結具が連結される）ロワーリンクピン１８が設けられている。
【００１９】
なお、トラクタの後部上には、単動型の油圧シリンダからなる作業機昇降装置が設けられ、この昇降装置には、左右のリフトアームが上下揺動自在に設けられている。これら左右のリフトアームは三点リンク機構の左右の各ロワーリンクにリフトロッドを介して連結されている。そのため、昇降装置に圧油を供給するとリフトアームが上方揺動し、ロワーリンクと共にロータリ耕耘機１が上昇するようになり、その後、昇降装置から圧油をドレンすると、ロータリ耕耘機１はその自重によって下降するようになっている。
【００２０】
ロータリ耕耘部５は、伝動ケース１２とサイドフレーム１３との下部間に左右方向の軸心回りに回動自在に支架された爪軸２０と、この爪軸２０に対し軸方向及び周方向に間隔をおいて取り付けられた多数の耕耘爪２１とを有している。
爪軸２０には、トラクタのＰＴＯ軸からユニバーサルジョイント等の伝動部材、ＰＩＣ軸２２、ギヤケース１０内の動力伝達機構、左側サポートアーム１１内の伝動軸２３（図３参照）、伝動ケース１２内の動力伝達機構を経て回転動力が伝達される。爪軸２０の回転により、耕耘爪２１が図２の矢視Ｒ方向に回転し、耕起した土を砕土しつつ後方に放てきするようになっている。
【００２１】
また、爪軸２０にはワイヤ、紐、ロープ等で形成された１本又は周方向に複数本の草巻き付き防止用線状部材２５（図５参照）が平行して張設されている。そのため、爪軸２０に対する草の巻き付き径が大きくなり、爪軸２０の回転時において草の巻き付きを防止するようになっている。
ロータリカバー６は、ロータリ耕耘部５の上方を覆う状態で、伝動ケース１２とサイドフレーム１３との間に側板２６を介して固定された上部カバー２７と、この上部カバー２７の後端側に支軸２８を介して連結されてロータリ耕耘部５の後方を覆うリヤカバー２９と、ロータリ耕耘部５の後部の左右両側を覆うサイドカバー３０とを有している。
【００２２】
なお、リヤカバー２９は、側板２６に対して支軸２８を支点に上下揺動自在となっており、サポートアーム１１とリヤカバー２９との間には、カバー角調整部３１が設けられている。そのため、このカバー角調整部３１を操作することで、リヤカバー２９の角度（下端高さ）を変更したり、均平圧を調整したり、リヤカバー２９を浮動状態に保持したりすることができる。
【００２３】
側板２６の前端部に、スタンド具７を取り付けるための取付部８が設けられている。本実施形態の取付部８は、側板２６に固定される支持ブラケット３２の下端で、短尺の角パイプ等を用いた中空角材３３を左右方向に向けて保持させるようにしたもので、支持ブラケット３２には中空角材３３のパイプ孔を左右方向に開通させるための側面視正方形状をした係合口３４が形成されている。この係合口３４へ、後述するスタンド具７に設けられた被取付部５４（角軸状の突起）を差し込むことができるようにしてあり、これによって取付部８が構成されるものである。
【００２４】
図３に示すように、支持枠１４は、機枠４における左右のサポートアーム１１に対し、その後方へ突出する状態で設けられており、長手方向を前後方向へ向けた左右一対の支持アーム３６と、これら左右の支持アーム３６の後端に連結されて長手方向を左右方向に向けたツールバー３７とを有している。
左右の支持アーム３６は、左右のサポートアーム１１に固定された連結ブラケット１７に対し、枢軸３８を介して左右方向の軸心回りに回動自在に枢支連結された外軸３９と、この外軸３９に摺動自在な状態で嵌合した内軸４０とを有して、これら両軸間の相対的な伸縮により長さ調節可能とされている。
【００２５】
左右の支持アーム３６は、外軸３９同士が連結杆４１によって連結されており、この連結杆４１の左右方向中央部とトップマスト１５との間に、図１及び図２に示すように、昇降操作装置４２が設けられている。
この昇降操作装置４２は、伸縮自在な伸縮ロッド４３と、この伸縮ロッド４３の先端側で径方向に張り出したり折り畳んだりすることができる状態で設けられた操作ハンドル４４とを備えている（図１及び図２は折り畳み状態を示している）。この操作ハンドル４４を径方向の張り出し状態にし、伸縮ロッド４３の軸心まわりで回転操作すると、伸縮ロッド４３を伸ばしたり縮めたりできる。
【００２６】
伸縮ロッド４３の先端側がトップマスト１５の後部上端側に対して左右方向の軸心回りに回動自在に取り付けられ、伸縮ロッド４３の基端側がツールバー３７に設けられた連結杆４６に設けられたブラケット片４５に対して左右方向の軸心回りに回動自在に取り付けられている。従って、操作ハンドル４４の回転操作で伸縮ロッド４３を伸縮させれば、支持枠１４が枢軸３８を支点として上下方向に揺動し、これに伴ってツールバー３７が昇降するようになっている。
【００２７】
ツールバー３７における左右の各端部に、スタンド具７を仮保持させるための保持部９が設けられている。本実施形態の保持部９は、ツールバー３７を角パイプ等の中空角材によって形成することで、当該ツールバー３７の左右両端部が側面視正方形状の外郭形状を呈するようにさせてある。これら左右の端部へ、後述するスタンド具７に設けられた被保持部５３（角パイプ状の部材）を差し込むことができるようにしてあり、これによってツールバー３７の左右各端部自体で保持部９が構成されるものである。
【００２８】
次にスタンド具７について具体構造を詳述する。図２に示すように、スタンド具７は、ロータリ耕耘機１の機体荷重を支えるために取付部８に取り付けられるときに、長手方向を前後方向へ向ける長手部５１と、この長手部５１の前部（前側の端部）から立ち上がった立上部５２とを有している。長手部５１の前後両端部には前後の接地体５０ａが設けられており、これら接地体５０ａによって前後方向に長い接地部５０を構成している。
【００２９】
そして、長手部５１の前部に、保持部９に対して仮保持させるための被保持部５３が設けられ、立上部５２の上部に、取付部８に対して取り付けるための被取付部５４が設けられている。
接地体５０ａは、本実施形態では縦軸回りに首振り自在（旋回自在）とされたキャスターが用いられている。長手部５１には、前後の接地体５０ａを取り付けるために前後のブラケット５５，５６が溶接などにより固定されているが、ロータリ耕耘機１の安定性を高めるために前部のブラケット５５は、長手部５１から前方へ延出する形状を有したものとしてあり、その前端寄りに前部の接地体５０ａを配置できるようにしてある。この前部のブラケット５５には、ブラケット５５上へ足や土などが引っ掛かるのを防止し、また当該ブラケット５５の補強（高剛性化）を兼ねる目的で、前端から上方突出状に前板５７が折曲形成されたものとしてある。
【００３０】
なお、接地体５０ａは首振り自在なものとするか否かは特に限定されるものではなく、またキャスターをホイル径の大きな車輪に置換したり、接地状態を不動にする脚などに置換したりすることも任意に変更可能である。また、接地部５０は、前後方向に長いソリ状の板材によって形成してもよい。また、長手部５１の下面で接地部を構成してもよい（この場合、長手部５１の下面側をソリ状にしてもよい）。
【００３１】
図６に示すように、被取付部５４は、立上部５２の上部から、機枠４の左右方向内方（機体４の左右方向中央側、図６の左方）へ向けて突出する配置で設けられた突起であって、外郭形状が側面視正方形状に形成されており、機枠４の側板２６に設けられた取付部８の係合口３４（中空角材３３のパイプ孔）に対し、ガタツキの無い嵌合状態を保持させて差し込むことができる。
【００３２】
本実施形態では、取付部８の構成に用いた中空角材３３に比べて一まわり細い角パイプ（中空角材３３のパイプ孔に嵌合するもの）により、被取付部５４を形成させてある。
取付部８の係合口３４が側面視正方形状の開口形状をしているのに対し、被取付部５４が側面視正方形状の外郭形状をしているので、嵌合時に被取付部５４が回転することはなく、これによって機枠４に対するスタンド具７の取付角度（長手部５１が水平になって前後の接地体５０ａが同時に接地する状態）は常に維持されるものとなる。
【００３３】
なお、取付部８及び被取付部５４には、これら両者の嵌合時に互いに合致する配置であって且つ嵌合方向に直交して両者を貫通するようになるピン孔が設けられており、これら両ピン孔を串刺しするように抜止ピン５８（図２参照）を突き刺し、更に突き抜けた抜止ピン５８の先端に割りピン５９等を差し込むことで、取付部８から被取付部５４が脱出することがないようにしてある。
【００３４】
被保持部５３は、長手部５１の前端部であって且つ機枠４の左右方向内方（機体４の左右方向中央側）へ向く長手部５１の側面に設けられていると共に、該長手部５１の長手方向と同じ向きに筒孔を向けた嵌合筒として形成されている。
この被保持部５３は、図１、図３及び図４に示すように、スタンド具７（の長手部５１）の長手方向をツールバー３７の長手方向に略沿わせるようにして、該スタンド具７（の長手部５１）をツールバー３７の上側に近接して平行状に配置した（載せた）とき、ツールバー３７に設けられた保持部９（ツールバー３７の左右の端部）に対し、ガタツキの無い嵌合状態を保持させて外嵌することができる。
【００３５】
本実施形態では、保持部９の構成に用いた角パイプに比べて一まわり太い角パイプにより、被保持部５３を形成させてある。
保持部９が側面視正方形状の外郭形状をしているのに対し、被保持部５３の嵌合筒内が側面視正方形状の開口形状をしているので、嵌合時に被保持部５３が回転することはなく、これによってツールバー３７に対するスタンド具７の保持姿勢（長手部５１がツールバー３７と略平行する状態）は常に維持されるものとなる。
【００３６】
なお、保持部９及び被保持部５３には、これら両者の嵌合時に互いに合致する配置であって且つ嵌合方向に直交して両者を貫通するようになるピン孔が設けられており、これら両ピン孔を串刺しするように抜止ピン５８（図４参照）を突き刺し、更に突き抜けた抜止ピン５８の先端に割りピン５９等を差し込むことで、保持部９から被保持部５３が脱出することがないようにしてある。
【００３７】
言うまでもなく、保持部９に対する被保持部５３の脱出防止に使用する抜止ピン５８や割ピン５９は、取付部８に対する被取付部５４の脱出防止に使用する抜止ピン５８や割ピン５９をそのまま利用（共通使用）すればよい。なお、別のものを使用することも可能である。
次に、本発明に係るロータリ耕耘機１のスタンド装置２における使用状況を説明する。ロータリ耕耘機１をトラクタとは別に単体で保管したり、倉庫と圃場等との間で移動したりする際には、図２及び図５に示すように、機枠４における左右両側の取付部８に形成された係合口３４に対して、左右の各スタンド具７に設けられた被取付部５４を嵌合させる。
【００３８】
そのうえで、取付部８及び被取付部５４間において互いに合致した状態のピン孔へ抜止ピン５８を串刺し状に突き刺し、更に突き抜けた抜止ピン５８の先端に割りピン５９等を差し込む。このようにして、左右のスタンド具７をロータリ耕耘機１の機体荷重を支える状態に取り付ける。
一方、ロータリ耕耘機１をトラクタの後部に取り付け、圃場などで耕耘作業を行う際には、機枠４における左右両側の取付部８から被取付部５４を脱出させることで左右のスタンド具７を外す。そして図１、図３及び図４に示すように、ツールバー３７の左右両端部に設けられた保持部９に対して、左右の各スタンド具７に設けられた被保持部５３を外嵌させる。
【００３９】
そのうえで、保持部９及び被保持部５３間において互いに合致した状態のピン孔へ抜止ピン５８を串刺し状に突き刺し、更に突き抜けた抜止ピン５８の先端に割りピン５９等を差し込む。このようにして、左右のスタンド具７を耕耘作業には全く邪魔とならない状態としてツールバー３７に仮保持させる。
この状態では、スタンド具７の長手部５１はツールバー３７の上側に平行状に近接配置され、スタンド具７の立上部５２は前方へ向けて突出する向きとなり、被取付部５４は下方を向く状態となる。
【００４０】
ツールバー３７にインプルメントを取り付ける場合にも、スタンド具７が邪魔物となる惧れが少なく、インプルメントをツールバー３７に取り付けやすくすることができる。
以上、本発明の実施の形態を詳述したが、本発明は上記の実施の形態に限定されるものではない。例えば、立上部５２は、長手部５１の後部（後側の端部）から上方に立ち上がるように設けてもよい。また、機枠４において取付部８はロータリーカバー６の側板２６を介して支持ブラケット３２を取り付け、この支持ブラケット３２において形成させるようにしたが、例えば伝動ケース１２やサイドフレーム１３やサイドカバー３０に適宜ブラケット構造を介して形成させるようにしてもよい。
【００４１】
また、本実施形態では、スタンド具７を機枠４の左右両側に取り付け得るようにした例を示したが、前記構成のスタンド具７を機枠４の左右一方側に取り付け得るようにしてもよい。この場合、前記構成のスタンド具７を機枠４の左右一方に取付可能とし、機枠４の左右他方に、他の形式の（簡易な）スタンド具を取付可能とされる。
また、取付部８とスタンド具７の被取付部５４との取付構造についても、嵌合構造と抜止ピン５８、割ピン５９を用いた構造にすることが限定されるものではなく、係合構造やボルト止め構造などに置換することができる。
【００４２】
支持枠１４のツールバー３７に対して被保持部５３を設ける位置は、ツールバー３７の端部以外としてもよい。例えば、ツールバー３７の長手方向中途部に、スタンド具７の被保持部５３と嵌合関係を生じさせる嵌合部材（即ち、これを被保持部５３とする）を設けるようにしてもよい。
【符号の説明】
【００４３】
１  ロータリ耕耘機
２  スタンド装置
４  機枠
７  スタンド具
８  取付部
９  保持部
１４  支持枠
３７  ツールバー
５０  接地部
５１  長手部
５２  立上部
５３  被保持部
５４  被取付部
【図１】
2011125243.tif 000003
【図２】
2011125243.tif 000004
【図３】
2011125243.tif 000005
【図４】
2011125243.tif 000006
【図５】
2011125243.tif 000007
【図６】
2011125243.tif 000008